(57)【要約】【課題】ライトユニット１０の取り外し、取り付け作業が容易であり、しかも打込み部先端に対する照明効果も高い工具に対するライトユニット着脱構造。【解決手段】内部に駆動部を備えたボディ２と、ボディ２の先端に設けられた打込み部とを備え、打込み部に供給されたファスナーを駆動部によって打込み部の先端から打ち出す打込み工具において、上記ボディ２の基部から側方に突出し、さらにボディ２の側面に沿ってボディ２の打込み部側に延びたフック８にライトユニット１０を着脱可能に取り付け、このライトユニット１０によって上記打込み部の近傍を照明可能とした。【選択図】図１
2006320977.tif 000002
【特許請求の範囲】
【請求項１】
締め付け工具、打ち込み工具、穴明け工具などの各種工具のボディの表面に沿って設けられたフックに対し、ライトユニットを着脱可能に取り付け、このライトユニットによって上記ボディの先端側を照明可能としたことを特徴とする工具に対するライトユニット着脱構造。
【請求項２】
前記フックは、２本の平行な軸部の一端を連結し、他端部を折り曲げ、この折り曲げ部を上記ボディの基部に固定して成るとともに、上記ライトユニットの内側面の両側には、上記フックの折り曲げ部から上記平行な２本の軸部に沿ってスライド可能な係合溝が形成されていることを特徴とする、請求項１に記載の工具に対するライトユニット着脱構造。
【請求項３】
上記係合溝は断面がＬ字形で、互いに反対向きに開口するように形成され、上記係合溝の内側の溝壁の両端は斜めに形成されていることを特徴とする、請求項２に記載の工具に対するライトユニット着脱構造。
【発明の詳細な説明】
【技術分野】
【０００１】
本発明は、締め付け工具、打ち込み工具、穴明け工具などの各種工具に対し、これらの工具のボディに設けられたフックを利用してライトユニットを着脱させるライトユニット着脱構造に関する
【背景技術】
【０００２】
一般に、新築の工事現場などで屋根や壁などの大枠の工事が終った後は、日光が遮られるので、暗い部分が多くなる。特に、屋根裏や床下等のように光が届きにくいところは暗いので、ファスナーを打込む際、打ち込み位置がわかりにくいので、暗い場所でのファスナー打ち込み作業においては、通常は仮設の照明装置を設ける必要がある。ところが、打ち込み作業は進行するにつれてその場所が変わっていくので、場所が変わるといちいち照明装置も移さなければならない。したがって、暗所での作業は煩わしいものであった。
【０００３】
そこで、このような不都合を改善するため、打込み工具自体にライトユニットを設けたものが知られている。これは、電源を内蔵したライトユニットを打込み工具のグリップの下部に固定したもので、ファスナーの打ち込み場所がどのように移ろうとも、常に明るさを確保することができるというメリットがある。
【特許文献１】特開２００４−２０９５６７公報
【発明の開示】
【発明が解決しようとする課題】
【０００４】
しかしながら、従来のものは、ライトユニットをグリップの下部にボルト、ナットで固定したものであるから、ライトユニットを使用する必要がないとき、あるいはライトの補修や部品交換などのために取り外さなければならないときはスパナやレンチなどの道具を必要とし、ライトユニットの取り外し、取り付け作業は面倒であった。また、ライトユニットをグリップの下部に設けたので、ファスナーが射出される打込み部に対して後方から照らすことになり、打込み部の前方は光の影になって暗くなる。さらに、打込み部の先端からライトユニットまでの距離が遠いので、バッテリの出力を大きくしたり、適宜の手段によってライトを打込み部先端に近づけたりしなければならないという問題がある。このような問題は、打込み工具だけでなく、締め付け工具、穴明け工具などのように、ボディの先端に締め付け手段や穴明け手段を備えた各種工具にも共通している。
【０００５】
本発明は上記問題点を解消し、ライトユニットの取り外し、取り付け作業が容易であり、しかも作業面に対する照明効果も高い工具に対するライトユニット着脱構造を提供することをその課題とする。
【課題を解決するための手段】
【０００６】
上記課題を解決するため、請求項１に係る発明は、締め付け工具、打ち込み工具、穴明け工具などの各種工具のボディの表面に沿って設けられたフックに対し、ライトユニットを着脱可能に取り付け、このライトユニットによって上記ボディの先端側を照明可能としたことを特徴とする。
【０００７】
請求項２に係る発明は、前記フックを、２本の平行な軸部の一端を連結し、他端部を折り曲げ、この折り曲げ部を上記ボディの基部に固定することにより形成するとともに、上記ライトユニットの内側面の両側には、上記フックの折り曲げ部から上記平行な２本の軸部に沿ってスライド可能な係合溝を形成したことを特徴とする。
【０００８】
請求項３に係る発明は、上記係合溝は断面がＬ字形で、互いに外側に開口するように形成され、上記係合溝の内側の溝壁の両端は斜めに形成されていることを特徴とする。
【発明の効果】
【０００９】
請求項１に係る発明によれば、工具のボディ表面に沿って既に設けられたフックを利用し、このフックにライトユニットを着脱可能としたものであるから、取り付け時にはライトユニット取り付け用の特別の部材を特別に必要としない。また、ライトユニットを使用しないときや、部品交換が必要になったときはいつでも簡単に取り外すことができる。さらに、ライトユニットは工具のボディ表面に設けられているので、ライトは必然的に作業面の近くに位置する。したがって、小電力でも有効な明るさを得ることができる。しかも、フックはボディに対して作業者の利き手の反対側に配置される（利き手が右ならフックはボディの左）のが通常であるから、ライトユニットも同じ側に配置されることになり、作業時にライトを照らしたとき、ボディ先端の利き手側の作業面が明るく、その反対側が影になるので、作業が非常に容易となる。
【００１０】
請求項２に係る発明によれば、ライトユニットの内側面の両側には、上記フックの折り曲げ部から上記平行な２本の軸部に沿ってスライド可能な係合溝が形成されているので、ライトユニットはフックの軸部に沿ってスライドさせればよいので、着脱作業を迅速かつ容易に行うことができる。
【００１１】
請求項３に係る発明によれば、上記係合溝は断面がＬ字形で、互いに外側に開口するように形成され、上記係合溝の内側の溝壁の両端は斜めに形成されているので、ライトユニットの取り付け時には上記斜めの溝壁が案内となり、取り外しには斜めの溝壁がストッパになって抜け出しにくいという効果を得ることができる。
【発明を実施するための最良の形態】
【００１２】
図１および図２において符号１はインパクトドライバを示す。このインパクトドライバ１は、ボディ２の片側にグリップ３を設けるとともに、ボディ２の内部にドライバビット（打込み部）４の基部を装着可能なホルダを設けたもので、グリップ３の端部から取り入れた圧縮空気をトリガレバー５を引き操作することによりボディ２の内部に設けられた駆動部（エアモータ、図示せず）に送り込んでホルダに対して回転方向に打撃を加えてドライバビット４を衝撃的に回転させ、ドライバビット４の先端に係合したネジ（図示せず）を打ち込み対象部材に打ち出してねじ込む打込み工具である。
【００１３】
ところで、上記インパクトドライバ１のヘッド部６の側面には上下１対の差込孔７が開口形成され、差込孔７にはフック８が取り付けられている。なお、上記差込孔７はヘッド部６を貫通している。
【００１４】
フック８は２本の平行な軸部の一端をＵ字形に連結し、他端側を直角に折り曲げ、この折り曲げ部を上記ボディ２の基部に固定して成るもので、Ｕ字形部８ａとそれに続く２本の平行な軸部８ｂを上記ボディ２の側面に沿って配置し、折曲げ部から延びる２本の軸体８ｃをインパクトドライバ１のボディ２の差込孔７に挿脱することにより着脱できるようになっている。なお、Ｕ字形部８ａも平行軸部８ｂに対して外側に傾斜している。
【００１５】
なお、上記Ｕ字形部８ａはそれに続く２本の平行軸部８ｂに対してボディ２から遠ざかるように曲がっている。
【００１６】
また、フック８はボディ２に対して作業者の利き手の反対側に配置されるのが使用上便利であるから、上記フック８は右利きの作業者が使用することを前提としている。左利きの場合は、折曲げ部から延びる２本の平行軸体８ｃを上記差込孔７の反対側から差し込めばよい。なお、図示しないが、上記軸体は差込孔７から抜け出さないような手段が設けられている。
【００１７】
次に、上記ライトユニット１０は扁平で、フック８の平行軸部８ｂと略同じ長さの長方形状のケース１１内に電池と配線を内蔵し、ケース１１の一端にライト１２を設け、外側面の適宜部位にスイッチを設けたもので、図３に示されるように、ケース１１の内側面の幅方向の両側には、上記フック８の平行軸部８ｂに沿ってスライド可能な係合溝１３が形成されている。すなわち、上記係合溝１３は断面がＬ字形で、互いに外側の反対向きに開口するように形成され、上記係合溝１３の内側の溝壁１４の前後両端１４ａ、１４ｂは斜めに形成されている。
【００１８】
上記構成のライトユニット１０を上記フック８に取り付けるときは、図２に示されるように、ライトユニット１０をインパクトドライバ１のボディ２と平行に沿わせ、その係合溝１３のライト１２側の溝壁１４の傾斜端部１４ａをフック８のヘッド部６側の２本の平行軸部８ｂの端部から押し込んでスライドさせる。上記平行軸部８ｂの端部は直角に折り曲げられているから、図４（ａ）に示されるように、この折り曲げ部１５が障害となってはじめは係合溝１３と平行軸部８ｂとは係合しにくいが、力を加えると、係合溝１３の溝壁１４の前端部１４ａは傾斜しているので、この傾斜端部１４ａに案内されて平行軸部８ｂは少し広がり、同図（ｂ）のように溝壁１４の前端部１４ａは折り曲げ部１５に乗り上げる。この状態になると摩擦抵抗が小さくなるので、スライドさせることが楽になり、同図（ｃ）のように係合溝１３の溝壁１４の後端部１４ｂが上記折り曲げ部を越えると係合溝１３は平行軸部８ｂに係合し、ライトユニット１０は溝壁１４の前端部１４ａと後端部１４ｂがＵ字形部８ａと折り曲げ部１５とに係合した位置で安定した状態でフック８に取り付けられる。そして、ライトユニット１０を後方に引っ張っても、係合溝１３の溝壁１４の後端部１４ｂがストッパとなり、容易には後方にスライドすることがないから取り付け状態が安定する。この状態で、ライト１２を点灯させると、図１のようにライト１２は必然的にドライバビット４の近くに位置するから、ドライバビット４の近傍位置を最もよく照らすことができる。これに対し、ライトユニット１０を上記フック８から取り外すときは、ライトユニット１０を後方に引っ張る。係合溝１３の溝壁１４の後端部１４ｂが傾斜しているので、強く引っ張ることにより、取り付ける場合と同様に、ライトユニット１０を後方にスライドさせて取り外すことができる。このように、特別の工具を使わなくても、ライトユニット１０を容易に着脱することができる。
【００１９】
上述のように、ライトユニット１０はインパクトドライバ１のボディ２の側面に沿って既に設けられたフック８を利用し、このフック８にライトユニット１０を取り付けたものであるから、ライトユニット取り付け用の部材を特別に必要としない。また、フック８にライトユニット１０を着脱可能に取り付けたから、ライトユニット１０を使用しないとき、部品交換が必要になったときにはいつでも簡単に取り外すことができる。さらに、ライトユニット１０はボディ２の側面に設けられているので、ライトは必然的に打込み部の近くに位置する。したがって、小電力でも有効な明るさを得ることができる。もちろん、フック８を使用するときは、ライトユニット１０を取り外せばよい。また、ライトユニット１０を取り付けたままでもフックは使用できる。
【００２０】
しかも、フック８はボディ２に対して作業者の利き手の反対側に配置される（利き手が右ならフック８はボディ２の左）のが通常であるから、ライトユニット１０も同じ側に配置されることになり、作業時にライトを照らしたとき、利き手側が明るく、その反対側が影になるので、作業が非常に容易となる。
【００２１】
また、ライトユニット１０の内側面の両側には、上記フック８の折り曲げ部１５から平行な２本の平行軸部８ｂに沿ってスライド可能な係合溝１３が形成されているので、ライトユニット１０はフック８の平行軸部８ｂに沿ってスライドさせればよいので、着脱作業を迅速かつ容易に行うことができる。
【００２２】
図５（ａ）（ｂ）はライトユニット１０をフック８とボディ２の間に設けた例である。前述の例では、ライトユニット１０をフック８に取り付けた状態で側面が出っ張り、隅打ち作業時にライトユニット１０が邪魔になるが、この例の取り付け状態では、フック８より内側に収まるため、隅打ち作業に支障をきたすことがなく、また作業中にライトユニット１０を外さなくてもよいので、紛失することもない。この場合は、ライトユニット１０をフック８の前側から後方にスライドさせて取り付け、この取り付け状態から前方にスライドさせて取り外すことができる。
【００２３】
なお、ライトユニットの形態や２つの係合溝の向きは上記図示例に限定されない。互いに内側の反対向きで、係合溝が向き合うように形成されていてもよい。また、同じ向き、つまりケース内面から遠ざかる方向に開口するものであってもよい。同じ向きに開口するときは、係合溝をあり溝状に形成すればよい。同様に、フックは必ずしも上述のような１本の線材を折り曲げることによって構成されているものに限定されない。
【００２４】
また、本発明はインパクトドライバに限定されない。オイルパルスドライバ、ネジ締め用ドライバドリルなどの他の締め付け工具はもちろん、釘打機、ネジ打ち機などの打ち込み工具や、ドライバドリル、振動ドリル、ハンマドリルなどの穴明け工具など、これら各種工具も作業者が身体に携帯することができるよう、そのボディに沿ってフックが取り付けられているものが多いから、上述と同様にライトユニットを着脱する構造を適用することができる。動力源についても限定されない。空圧工具であっても電動工具であっても、あるいはガス圧駆動方式の工具であってもよい。
【００２５】
さらに、本発明は、予めフックが取り付けられている工具にライトユニットを着脱させる例に限定されない。ライトユニットとともに工具にフックを取り付ける場合でもよい。
【００２６】
さらに、一端の連結はＵ字形以外にコ字型でもよく、他端側の折り曲げの角度は直角に限定されない。
【図面の簡単な説明】
【００２７】
【図１】本発明に係るインパクトドライバの斜視図である。
【図２】ライトユニットの取付け時の斜視図である。
【図３】（ａ）（ｂ）はライトユニットの側面図および背面図である。
【図４】（ａ）（ｂ）（ｃ）はライトユニットの取り付け態様をライトユニットの背面側から示した説明図である。
【図５】（ａ）（ｂ）は他のインパクトドライバの側面図および平面図である。
【符号の説明】
【００２８】
１  インパクトドライバ
２  ボディ
８  フック
１０  ライトユニット
１３  係合溝
１４  溝壁
【図１】
2006320977.tif 000003
【図２】
2006320977.tif 000004
【図３】
2006320977.tif 000005
【図４】
2006320977.tif 000006
【図５】
2006320977.tif 000007